(57)【要約】      （修正有）【課題】基板の面積の増加を押さえつつ、基板上に効率よく端子を配置することができる表示装置を提供する。【解決手段】表示装置は、複数のケーブル用のコネクタを有する基板３０１と、表示パネル１０１裏面側に設けられたボスと、少なくとも一端にフックを有するブラケット２０５と、を有し、該フック形状をボスの部分に差し込むことにより、ブラケット２０５を基板３０１に固定可能である。フックは、基板内の固定点を中心に回動可能であり、この固定点を中心に回転させることにより、該ブラケット２０５の他端側の基板３０１に対する位置が決定可能である。【選択図】図７
2014106286.tif 000002
【特許請求の範囲】
【請求項１】
複数のケーブルの接続端子を有する基板と、
表示パネル裏面側に設けられたボスと、
少なくとも一端にフック形状を有するブラケットと、を有し、
該フック形状をボス部分に差し込むことにより、該ブラケットを前記基板に固定可能な表示装置。
【請求項２】
前記ブラケットは、前記基板に対して位置決めを行うための複数の部位を有し、
前記フック形状は、前記複数の部位のうちの１つである、請求項１に記載の表示装置。
【請求項３】
前記フック形状は、基板内の固定点を中心に回動可能であり、
当該固定点を中心に回転させることにより、該ブラケットの他端側の基板に対する位置が決定可能である、請求項２に記載の表示装置。
【請求項４】
複数のケーブルの接続端子を有する基板と、
表示パネル裏面側に設けられたボスと、
少なくとも一端にドーナツ形状を有するブラケットと、を有し、
該ドーナツ形状をボス部分にはめ込むことにより、該ブラケットを前記基板に固定可能な表示装置。
【発明の詳細な説明】
【技術分野】
【０００１】
本発明は液晶ディスプレイ、プラズマディスプレイ等の表示装置に関する。より詳しくは、ケーブルの接続端子周辺の筐体構造に関するものである。
【背景技術】
【０００２】
表示装置では、端子の種類や数量の変化に対応できるように、表示パネルの裏面を覆っているバックカバーとは別に、ブラケットと呼ばれる部品を設けている。即ち、バックカバーとブラケットにより表示装置の筐体を構成している。この構造により、端子の種類や数量が変化しても、ブラケットを交換することで、バックカバーの交換を不要に出来る効果がある。なお、ブラケットの固定方法としては、例えば特許文献１のように、筐体の組立を単純にする為、ブラケットは、端子を設置している基板にはめ込む構造が挙げられる（同文献の第１図）。
【先行技術文献】
【特許文献】
【０００３】
【特許文献１】実公平５−２６７９０号公報
【特許文献２】特開平１０１６４４６２号公報
【特許文献３】特開２００８−０１２０２５号公報
【発明の開示】
【発明が解決しようとする課題】
【０００４】
しかしながら、基板の２辺に端子を設け、各辺にブラケットを取り付ける構造を採用する場合、特許文献１のようにブラケットを単純にはめ込む構造では、基板の角近辺に端子を配置することができないという問題がある。なぜならば、基板の一部にブラケットを固定する為のスペースや、端子とブラケットの位置を合わせるための位置決めの構造に対応するスペースが必要だからである。この結果、基板上に多くの端子を配置できないという問題がある。換言すれば、所望数の端子を配置する為に、必要以上に基板サイズを大きくする必要があり、この結果、コストアップ、或いは省スペース化の点で不利であるという課題を有していた。
【課題を解決するための手段】
【０００５】
本発明の表示装置は、複数のケーブルの接続端子を有する基板と、表示パネル裏面側に設けられたボスと、少なくとも一端にフック形状を有するブラケットと、を有し、該フック形状をボス部分に差し込むことにより、該ブラケットを前記基板に固定可能なことを特徴とする。
【発明の効果】
【０００６】
表示装置の基板上に効率よく端子を配置することができ、基板コスト削減が可能となる。
【図面の簡単な説明】
【０００７】
【図１】本発明の実施形態１にかかる表示装置１００の前面斜視図である。
【図２】表示装置１００の背面斜視図である。
【図３】表示装置１００の他の背面斜視図であり、背面側が上側となるよう表示した図である。
【図４】図３の背面斜視図において、バックカバー２０１と基板３０１を取り外した状態を示す図である。
【図５】表示パネル１０１の背面に、ブラケット２０５を仮設置した状態を示す図である。
【図６】図５において、ブラケット２０５の部分を拡大して示した図である。
【図７】表示装置１００の背面に基板３０１とブラケット２０４が設置された状態を示す図である。
【図８】本発明の実施形態２のように、まず基板３０１を取り付けた後に、ブラケット２０５を取り付ける手順を説明する図である
【図９】本発明の実施形態３に係るブラケット３０５の形状を示す図である。
【図１０】補助金具２５０を用いてボス３０２にブラケットを接続する構造を説明する図である。
【発明を実施するための最良の形態】
【０００８】
以下に本発明の実施形態について、図面を参照しながら説明する。
【０００９】
（実施形態１）
図１は本発明の一実施の形態である表示装置１００を示す図である。同図を参照して、表示装置１００は表示パネル１０１とフロントパネル１０２を有する。
【００１０】
表示装置１００はテレビジョン放送等による放送信号、或いはＨＤＤ、ＤＶＤなどの外部記録媒体に記録されたデータを映像信号に変換して表示するものである。表示装置１００の例として、テレビジョン受信機や汎用ディスプレイが挙げられる。表示パネル１０１は映像信号に対応した映像を表示する。本実施形態では表示パネル１０１は、液晶パネルであるが、これに代えてプラズマパネルや、有機ＥＬパネルでも良い。フロントパネル１０２は表示パネル１０１を保持する枠である。フロントパネル１０２の材料として樹脂あるいは金属が用いられる。
【００１１】
図２は表示装置１００の背面斜視図である。図３は、図２において、背面側が上側となるよう表示した図である。表示装置１００はバックカバー２０１を有する。バックカバー２０１は表示パネル１０１の裏面を覆っている。バックカバー２０１はフロントパネル１０２と結合して表示パネル１０１を保持する。本実施形態では、バックカバー２０１の材質として金属が用いられるが、これに代えて樹脂を用いても良い。
【００１２】
バックカバー２０１にはケーブル２０２が接続できるコネクタ２０３が２つの交差する方向で配置されている。ケーブル２０２は表示装置１０１の表示面と略平行な方向に沿ってコネクタ２０３に差し込まれる。なお、ここでコネクタ２０３とは、例えばＵＳＢ端子、ＨＤＭＩ端子、Ｄ端子、光端子、ヘッドホン端子、ＬＡＮ端子、チューナ（地上波用、ＢＳ用、ＣＳ用）端子、アナログ端子（ＲＧＢ、コンポーネント５軸など）である。これ以外にもＳＤ端子、ＣＩ端子、Ｂ−ＣＡＳ端子、ＶＧＡ端子などを備えていても良い。
【００１３】
コネクタ２０３の周辺は、ブラケット２０４及びブラケット２０５によって覆われている。本実施形態では、ブラケット２０４及びブラケット２０５の材質として樹脂が用いられるが、これに代えて、金属製のものを用いても良い。これらのブラケットにより、基板３０１とバックカバー２０１の間の空間、或いは、表示パネル１０１の裏面と基板の間の空間を塞ぐことができるので、この空間に誤って指を挿入してしまう事態を防止したり、その空間からの塵、水が浸入することを防止したりすることができる。
【００１４】
特に、表示装置１００の薄型化にあっては、製造の都合上、バックカバー２０１を樹脂製にするよりも金属性にした方が有利である。その反面、加工（成型）の都合上、コネクタに接続されるケーブルを貫通させる為の穴を小さく作製することが困難である。その結果、必要以上に穴が大きくなり、基板３０１とバックカバー２０１の隙間だけでなく、基
板３０１とフロントパネル１０２の隙間も塞がれなくなる場合がある。そこで、上記構造のような樹脂製のブラケットを採用すれば、基板３０１とフロントパネル１０２の隙間も確実に塞ぐことができる。
【００１５】
図４〜６は、表示装置１００の背面側の内部構造図である。以下、これらの図を参照して、ブラケット２０５, ２０６の取り付け手順を説明する。
【００１６】
図４はバックカバー２０１と基板３０１が取り外された状態の表示装置１００の背面を示している。表示装置１００の背面内部にはコネクタ２０３を有する基板３０１を固定する為の円筒形のボス３０２が設けられている。
【００１７】
まず、図５に示すように表示パネル１０１の背面にブラケット２０５を仮設置する。図６は、図５において、ブラケット２０５の部分を拡大して示した図である。ブラケット２０５にはフック２０６が形成されており、このフック２０６を表示パネル１０１の背面に設置されている円筒形のボス３０２差し込むことで、ブラケット２０５が仮設置される。またこのときのブラケット２０５の位置は、最終の設置位置に対し１０度から３０度程度の傾きを有している。
【００１８】
次に、図７に示すように表示パネル１０１の背面に基板３０１を設置する。基板３０１の四隅にはネジ穴がそれぞれ設けられており、このネジ穴を貫通したネジを表示パネル１０１のボス３０２に設けられた雌ネジ穴にねじ込むことで、基板３０１とブラケット２０５とが表示パネル１０１の裏面に共締めされることとなる。そして、基板３０１を表示パネル１０１の裏面に設置後、ブラケット２０５を矢印３０３の方向に回転させることにより、ブラケット２０５は基板３０１に設置されているコネクタ２０３を覆うことができる。なお、ブラケット２０４は、従来技術と同様、単純に基板３０１にはめ込むようにして固定している。
【００１９】
本実施形態のブラケット固定構造では、１つのブラケット内に複数個所存在する、ブラケットの固定形状の内、最も端に設けられている固定形状を、U字のフック形状としている。このフック形状を、基板を固定している表示パネル裏面に設けられているボスに差し込んだ後、ブラケットを回転させながら組み込むことにより、フック形状の開放方向に対し、ブラケットの残りの固定形状が存在する為、フック形状の構造でもブラケットの固定は外れない。
【００２０】
またフック形状を穴形状として、基板を取り付ける前に、ブラケットを仮固定し、基板を表示装置のボスに取付けた後、ブラケットを回転させながら組み込むので、ブラケットの固定強度と基板との位置精度は向上する。
【００２１】
上記構造によれば、基板上の端子の配置に必要なスペースを使用することなく、ブラケットの取り付けが可能となる為、同じ種類と数量の端子を配置する際に、従来構造を使用する基板より、小さい面積での対応が可能となり、コストの削減が可能となる。
【００２２】
なお、上記の例ではコネクタは直交する２辺に沿って配置しているが、３辺以上に配置しても良い。また、ブラケット２０４も、ブラケット２０５と同様にフック部分を設け、ブラケット２０５と同様の方法で基板３０１に固定するものであっても良い。
【００２３】
上記構成によれば、基板上の端子の配置に必要なスペースを使用することなく、ブラケットの取り付けが可能となる為、同じ種類と数量の端子を配置する際に、従来構造を使用する基板より、小さい面積での対応が可能となる。
【００２４】
（実施形態２）
実施形態１では、まずブラケット２０５を表示パネル１０１の裏面に仮設置した後、基板３０１を設置するが、逆に、基板３０１を設置した後にブラケット２０５を設置することも可能である。具体的には、基板３０１を設置後、図８に示すように、ブラケット２０５を表示装置１０１に略並行な方向に滑らせて、フック２０６を表示装置１００の背面に設置されている円筒形のボス３０２差し込み、この状態で基板３０１をボス３０２の雌ネジにねじ込む。これにより、ブラケット２０５の設置を基板３０１取り付け後にすることができる。
【００２５】
（実施形態３）
図９は、ブラケットの他の例である、ブラケット３０５を示す図である。フック部分は、フック２０７のようにドーナツ状（或いはリング状）の形状であっても良い。
【００２６】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【００２７】
例えば、上記では表示パネル１０１の裏面（所謂シャーシ）上に設けられたボス３０２を使用してブラケット２０５等を固定しているが、仮に表示パネル１０１の裏面にボスがない場合、或いは適切な位置にボスがない場合は、以下のような構成を採用してもよい。
【００２８】
図１０を参照して、基板３０１をパネル裏面に所定位置に取り付ける際、理想的には３０２’で示す位置にボスが存在するのが好ましい。しかし、実際には３０２で示す位置にシャーシ上にボスが存在しない場合、ボス３０２と理想ボス位置３０２’間を連結する補助金具２５０を用い、補助金具上（の３０２’の位置に）にボス形状を設けておき、このボス形状を用いて、上記実施例で説明したものと同様の方法より、ブラケットを基板に対して固定するようにしても良い。
【産業上の利用可能性】
【００２９】
本発明の筐体構造は、液晶ディスプレイ、プラズマディスプレイ等の表示装置、やＨＤＤレコーダ、ＤＶＤプレイヤ、その他複数のケーブル端子を有する電子機器に利用可能である。
【符号の説明】
【００３０】
１００  表示装置
１０１  表示パネル
１０２  フロントパネル
２０１  バックカバー
２０２  ケーブル
２０３  コネクタ
２０４  ブラケット
２０５  ブラケット
２０６  フック
２０７  ドーナツ形状
３０１  基板
３０２  ボス
３０５  ブラケット
【図１】
2014106286.tif 000003
【図２】
2014106286.tif 000004
【図３】
2014106286.tif 000005
【図４】
2014106286.tif 000006
【図５】
2014106286.tif 000007
【図６】
2014106286.tif 000008
【図７】
2014106286.tif 000009
【図８】
2014106286.tif 000010
【図９】
2014106286.tif 000011
【図１０】
2014106286.tif 000012